(57)【要約】  第１モジュール式フレームを第２モジュール式フレームに結合するための位置決めピンアセンブリが開示される。位置決めピンアセンブリは、第１モジュール式フレームと第２モジュール式フレームとの間に配置された第１ガセットプレートを有する。第１ガセットプレートは、第１モジュール式フレームの第１ビームと第２モジュール式フレームの第１ビームとを結合するための固定手段を受け入れるための、第１ガセットプレート孔及び第２ガセットプレート孔をガセットプレートにおいて有する。ピンアセンブリはまた、第１ガセットプレート、第１モジュール式フレーム、及び第２モジュール式フレームを係合するピンを有する。また、ピンアセンブリを有するモジュール式フレームユニット、ピンアセンブリを有するモジュール式フレームユニットのシステム、及びモジュール式フレームユニットを結合する方法も開示される。【選択図】図１４
2021524550.tif 000002
【特許請求の範囲】
【請求項１】
第１モジュール式フレームを第２モジュール式フレームに結合するための位置決めピンアセンブリであって、前記第１モジュール式フレームが、第１モジュール式フレームの第１中空管状部材と、前記第１モジュール式フレームの第１中空管状部材の第１端部において結合された、第１モジュール式フレームの第１ビームとを有し、前記第２モジュール式フレームが、第２モジュール式フレームの第１中空管状部材と、前記第２モジュール式フレームの第１中空管状部材の第１端部において結合された第２モジュール式フレームの第１ビームと、を有しており、前記位置決めピンアセンブリは、
前記第１モジュール式フレームと前記第２モジュール式フレームとの間に配置された第１ガセットプレートであって、前記第１ガセットプレートが、第１ガセットプレート孔及び第２ガセットプレート孔を有し、前記第１ガセットプレート孔が、前記第１モジュール式フレームの第１ビームを前記第１ガセットプレートに結合するための第１固定手段を受け入れるように適合されており、前記第２ガセットプレート孔が、前記第２モジュール式フレームの第１ビームを前記第１ガセットプレートに結合するための第２固定手段を受け入れるように適合されている、第１ガセットプレートと、
前記第１ガセットプレート、前記第１モジュール式フレーム、及び前記第２モジュール式フレームを係合するピンであって、前記ピンが、平らな逆円錐形セクションに結合された平らな四辺形タイプのプレート状セクションを有し、前記平らな四辺形タイプのプレート状セクションが、前記第２モジュール式フレームの第１中空管状部材の前記端部に係合するように適合されており、前記平らな逆円錐形セクションが、前記第１モジュール式フレームの第１中空管状部材の前記端部に係合するように適合されている、ピンと、を備える位置決めピンアセンブリ。
【請求項２】
前記平らな逆円錐形セクションは吊り上げ孔を有する、請求項１に記載の位置決めピンアセンブリ。
【請求項３】
前記吊り上げ孔は、前記平らな逆円錐形セクションの頂点に近接して形成されている、請求項２に記載の位置決めピンアセンブリ。
【請求項４】
前記平らな四辺形タイプのプレート状セクションに結合されたストッパをさらに備える、請求項１〜３のいずれか１項に記載の位置決めピンアセンブリ。
【請求項５】
前記ストッパは、前記平らな四辺形タイプのプレート状セクションの第１端部に近接して配置されており、前記平らな四辺形タイプのプレート状セクションの前記第１端部は、前記平らな逆円錐形セクションに結合されている、請求項４に記載の位置決めピンアセンブリ。
【請求項６】
前記ストッパは、平面ストッパプレートであり、前記平面ストッパプレートは、前記第２モジュール式フレームの第１中空管状部材の前記第１端部に位置するようにサイズ決めされており、前記平面ストッパプレートは、前記ガセットプレートの厚さに等しい厚さを有し、
前記ガセットプレートは、前記平面ストッパプレートの１つ又は複数のエッジを受け入れかつ前記エッジと整列するための切欠きを有する、請求項４又は５に記載の位置決めピンアセンブリ。
【請求項７】
前記平面ストッパプレートの前記１つ又は複数のエッジは、前記第２モジュール式フレームの第１中空管状部材の１つ又は複数のエッジと長手方向に整列する、請求項６に記載の位置決めピンアセンブリ。
【請求項８】
前記ストッパは、突起であり、前記突起は、前記第２モジュール式フレームの第１中空管状部材の前記第１端部に位置するようにサイズ決めされており、突起プレートが、前記ガセットプレートの厚さに等しい厚さを有し、
前記ガセットプレートは、前記突起の１つ又は複数のエッジを受け入れかつ前記エッジと整列するための切欠きを有する、請求項４又は５に記載の位置決めピンアセンブリ。
【請求項９】
前記平らな四辺形タイプのプレート状セクションは、第１オリフィス及び第２オリフィスを有し、前記第１オリフィスは、前記平らな四辺形タイプのプレート状セクションの第２端部と、前記ストッパとの中間に形成されており、前記第１オリフィスは、前記ストッパに近接し、第３固定手段を受け入れるように適合されており、前記第２オリフィスは、前記平らな四辺形タイプのプレート状セクションの前記第２端部に近接して形成され、第４固定手段を受け入れるように適合されており、
前記第３及び第４固定手段は、前記平らな四辺形タイプのプレート状セクションを前記第２モジュール式フレームの第１中空管状部材に固設する、請求項１〜８のいずれか１項に記載の位置決めピンアセンブリ。
【請求項１０】
モジュール式フレームアセンブリであって、
第２モジュール式フレームに結合された第１モジュール式フレームを備え、前記第１モジュール式フレームと前記第２モジュール式フレームとの間に位置決めピンアセンブリが挟まれており、前記第１モジュール式フレームが、第１モジュール式フレームの第１中空管状部材と、前記第１モジュール式フレームの第１中空管状部材の第１端部において結合された、第１モジュール式フレームの第１ビームとを有し、前記第２モジュール式フレームが、第２モジュール式フレームの第１中空管状部材と、前記第２モジュール式フレームの第１中空管状部材の第１端部において結合された第２モジュール式フレームの第１ビームと、を有し、前記位置決めピンアセンブリが、
前記第１モジュール式フレームと前記第２モジュール式フレームとの間に配置された第１ガセットプレートであって、前記第１ガセットプレートが、第１ガセットプレート孔及び第２ガセットプレート孔を有し、前記第１ガセットプレート孔が、前記第１モジュール式フレームの第１ビームを前記第１ガセットプレートに結合するために、第１モジュール式フレームの第１ビームの第１孔と係合するための第１固定手段を受け入れるように適合されており、前記第２ガセットプレート孔が、前記第２モジュール式フレームの第１ビームを前記第１ガセットプレートに結合するために、第２モジュール式フレームの第１ビームの第１孔と係合するための第２固定手段を受け入れるように適合されている、第１ガセットプレートと、
前記第１ガセットプレート、前記第１モジュール式フレーム、及び前記第２モジュール式フレームを係合するピンであって、前記ピンが、平らな逆円錐形セクションに結合された平らな四辺形タイプのプレート状セクションを有し、前記平らな四辺形タイプのプレート状セクションが、前記第２モジュール式フレームの第１中空管状部材の前記端部に係合するように適合されており、前記平らな逆円錐形セクションが、前記第１モジュール式フレームの第１中空管状部材の前記端部に係合するように適合されている、ピンと、を備えるモジュール式フレームアセンブリ。
【請求項１１】
前記平らな逆円錐形セクションは吊り上げ孔を有する、請求項１０に記載のモジュール式フレームアセンブリ。
【請求項１２】
前記吊り上げ孔は、前記平らな逆円錐形セクションの頂点に近接して形成されている、請求項１１に記載のモジュール式フレームアセンブリ。
【請求項１３】
前記平らな四辺形タイプのプレート状セクションに結合されたストッパをさらに含む、請求項１０〜１２のいずれか１項に記載のモジュール式フレームアセンブリ。
【請求項１４】
前記ストッパは、前記平らな四辺形タイプのプレート状セクションの第１端部に近接して配置されており、前記平らな四辺形タイプのプレート状セクションの前記第１端部は、前記平らな逆円錐形セクションに結合されている、請求項１３に記載のモジュール式フレームアセンブリ。
【請求項１５】
前記ストッパは、平面ストッパプレートであり、前記平面ストッパプレートは、前記第２モジュール式フレームの第１中空管状部材の前記第１端部に位置するようにサイズ決めされており、前記平面ストッパプレートは、前記ガセットプレートの厚さに等しい厚さを有し、
前記ガセットプレートは、前記平面ストッパプレートの１つ又は複数のエッジを受け入れかつ前記エッジと整列するための切欠きを有する、請求項１３又は１４に記載のモジュール式フレームアセンブリ。
【請求項１６】
前記平面ストッパプレートの前記１つ又は複数のエッジは、前記第２モジュール式フレームの第１中空管状部材の１つ又は複数のエッジと長手方向に整列する、請求項１５に記載のモジュール式フレームアセンブリ。
【請求項１７】
前記ストッパは、突起であり、前記突起は、前記第２モジュール式フレームの第１中空管状部材の前記第１端部に位置するようにサイズ決めされており、突起プレートが、前記ガセットプレートの厚さに等しい厚さを有し、
前記ガセットプレートは、前記突起の１つ又は複数のエッジを受け入れかつ前記エッジと整列するための切欠きを有する、請求項１３又は１４に記載のモジュール式フレームアセンブリ。
【請求項１８】
前記平らな四辺形タイプのプレート状セクションは、第１オリフィス及び第２オリフィスを有し、前記第１オリフィスは、前記平らな四辺形タイプのプレート状セクションの第２端部と、前記ストッパとの中間に形成されており、前記第１オリフィスは、前記ストッパに近接し、第３固定手段を受け入れるように適合されており、前記第２オリフィスは、前記平らな四辺形タイプのプレート状セクションの前記第２端部に近接して形成され、第４固定手段を受け入れるように適合されており、
前記第３固定手段は、前記平らな四辺形タイプのプレート状セクションを前記第２モジュール式フレームの第１中空管状部材に固設するために、第２モジュール式フレームの第１中空管状部材の第１開口及び前記第１オリフィスに係合し、前記第４固定手段は、第２モジュール式フレームの第１中空管状部材の第２開口及び前記第２オリフィスに係合する、請求項１０〜１７のいずれか１項に記載のモジュール式フレームアセンブリ。
【請求項１９】
モジュール式建物を形成するためのモジュール式フレームユニットのシステムであって、第２モジュール式フレームに結合される第１モジュール式フレームを備え、前記第１モジュール式フレームと前記第２モジュール式フレームとの間に位置決めピンアセンブリが挟まれており、前記位置決めピンアセンブリは、請求項１〜９のいずれか１項に定義したとおりである、システム。
【請求項２０】
モジュール式建物を形成するためのモジュール式フレームユニットを結合する方法であって、第１モジュール式フレームを第２モジュール式フレームに結合することを含み、位置決めピンアセンブリが、前記第１モジュール式フレームと前記第２モジュール式フレームとの間に挟まれており、前記位置決めピンアセンブリは、請求項１〜９のいずれか１項に定義したとおりである、方法。
【請求項２１】
吊り上げ可能なモジュール式フレームユニットであって、第１モジュール式フレームに結合された位置決めピンアセンブリを備え、前記位置決めピンアセンブリが、請求項１〜９のいずれか１項に定義したとおりである、吊り上げ可能なモジュール式フレームユニット。
【発明の詳細な説明】
【技術分野】
【０００１】
[0001]  本明細書は、位置決めピンアセンブリ、位置決めピンアセンブリを使用する吊り上げ可能なピンアセンブリ、位置決めピンアセンブリを有するモジュール式フレームユニットを結合するための方法、位置決めピンアセンブリを有するモジュール式ユニットを組み立てる方法、及び位置決めピンアセンブリを有する建物に関する。
【背景技術】
【０００２】
[0002]  モジュール式の建物とモジュール式の家は、モジュールと呼ばれる複数のセクションからなる、セクション型プレハブ式の建物又は家である。「モジュール式」は、他の建築方法とは異なる工法である。モジュールセクションは、現場から離れた（時には、遠隔の）施設において構築され、目的の使用場所へ移送される。プレハブセクションの完全な建設は現場で完了する。プレハブセクションは、時には、クレーンを使用して持ち上げられ、基礎壁上に配置され、モジュールのプレハブセクションは、建物の基礎上に設置され、互いに結合されて１つの建物を形成する。モジュールは、横並び、縦並び、又は積み重ねて配置することができ、建物のレイアウトにおいて様々な構成とスタイルを可能にする。
【０００３】
[0003]  制御された工場環境において標準化された構成部材から構成されたこのようなプレハブ式モジュール式建物ユニットは、より低いコスト及びより高い品質により望ましい可能性があり、より高い品質は、野外建築仕事現場において同様の仕事を行うことと比較して獲得可能である。したがって、床、壁、及び頭上の構造物を有し、その内部に予め据え付けられた全てのシステム及び室内備品を含むプレハブ式モジュール式建物ユニットは、好ましく、かつ当技術分野において周知である。２つ以上のモジュール式建物ユニットを一緒に接合して、より大きい構造物を形成するための手段及び方法からなる建物アセンブリシステムもまた、当技術分野において周知である。
【０００４】
[0004]  モジュール式建物ユニットの持ち上げ、移動、及び接続の目的で解放可能な接続を提供するために、構造フレームの上面又は側面に特別に準備された孔と係合する装置は、当技術分野で知られている。例えば、ＰＣＴ公開第ＷＯ２０１４／１２７４７２号、同第ＷＯ２０１５／１６４９７５号、同第ＷＯ２０１６／１６５０２２号及び同第ＷＯ２０１７／０２７９６５号、ならびにＰＣＴ出願第ＰＣＴ／ＣＡ２０１８／０５００６５号（全て参照により本明細書に組み込まれ、読者は、さらなる検討のために関連するセクションに向けられる）は、モジュール式建物構造物を結合及び形成するための様々なコネクタを開示している。
【０００５】
[0005]  上記のコネクタは、特に高層で、多層階で、かつ細身の建物を形成するための多くの問題に対処することに役立つことができるが、依然として、そのような建物における全体的なコストを削減しかつ建設の効率を高めることができる、低層でかつ少ない階数の建物を形成するためのコネクタが技術分野において必要である。
【発明の概要】
【０００６】
[0006]  一態様では、本明細書は、第１モジュール式フレームを第２モジュール式フレームに結合するための位置決めピンアセンブリに関し、第１モジュール式フレームは、第１モジュール式フレームの第１中空管状部材と、第１モジュール式フレームの第１中空管状部材の第１端部において結合された、第１モジュール式フレームの第１ビームとを有し、第２モジュール式フレームは、第２モジュール式フレームの第１中空管状部材と、第２モジュール式フレームの第１中空管状部材の第１端部において結合された第２モジュール式フレームの第１ビームと、を有し、位置決めピンアセンブリは、
[0007]  第１モジュール式フレームと第２モジュール式フレームとの間に配置された第１ガセットプレートであって、第１ガセットプレートは、第１ガセットプレート孔及び第２ガセットプレート孔を有し、第１ガセットプレート孔は、第１モジュール式フレームの第１ビームを第１ガセットプレートに結合するための第１固定手段を受け入れるように適合されており、第２ガセットプレート孔は、第２モジュール式フレームの第１ビームを第１ガセットプレートに結合するための第２固定手段を受け入れるように適合されている、第１ガセットプレートと、
[0008]  第１ガセットプレート、第１モジュール式フレーム、及び第２モジュール式フレームに係合するピンであって、ピンは、平らな逆円錐形（又は平らな逆Ｖ字形）セクションに結合された平らな四辺形プレート状セクションを有し、平らな四辺形タイプのプレート状セクションは、第２モジュール式フレームの第１中空管状部材の端部に係合するように適合されており、平らな逆円錐形セクションは、第１モジュール式フレームの第１中空管状部材の端部に係合するように適合されている、ピンと、を有する。
【０００７】
[0009]  別の態様では、本明細書は、モジュール式フレームアセンブリに関し、モジュール式フレームアセンブリは、
[0010]  第２モジュール式フレームに結合された第１モジュール式フレームを有し、第１モジュール式フレームと第２モジュール式フレームとの間に位置決めピンアセンブリが挟まれており、第１モジュール式フレームは、第１モジュール式フレームの第１中空管状部材と、第１モジュール式フレームの第１中空管状部材の第１端部において結合された、第１モジュール式フレームの第１ビームとを有し、第２モジュール式フレームは、第２モジュール式フレームの第１中空管状部材と、第２モジュール式フレームの第１中空管状部材の第１端部において結合された、第２モジュール式フレームの第１ビームと、を有し、位置決めピンアセンブリは、
[0011]  第１モジュール式フレームと第２モジュール式フレームの間に配置された第１ガセットプレートであって、第１ガセットプレートは、第１ガセットプレート孔及び第２ガセットプレート孔を有し、第１ガセットプレート孔は、第１モジュール式フレームの第１ビームを第１ガセットプレートに結合するために、第１モジュール式フレームの第１ビームの第１孔と係合するための第１固定手段を受け入れるように適合されており、第２ガセットプレート孔は、第２モジュール式フレームの第１ビームを第１ガセットプレートに結合するために、第２モジュール式フレームの第１ビームの第１孔と係合するための第２固定手段を受け入れるように適合されている、第１ガセットプレートと、
[0012]  第１ガセットプレート、第１モジュール式フレーム、及び第２モジュール式フレームに係合するピンであって、ピンは、平らな逆円錐形セクションに結合された平らな四辺形タイプのプレート状セクションを有し、平らな四辺形タイプのプレート状セクションは、第２モジュール式フレームの第１中空管状部材の端部に係合するように適合されており、平らな逆円錐形セクションは、第１モジュール式フレームの第１中空管状部材の端部に係合するように適合されている、ピンと、を有する。
【０００８】
[0013]  別のさらなる態様では、本明細書は、モジュール式建物を形成するためのモジュール式フレームユニットのシステムに関し、システムは、第２モジュール式フレームに結合された第１モジュール式フレームを有し、第１モジュール式フレームと第２モジュール式フレームとの間に位置決めピンが挟まれており、位置決めピンアセンブリは、本明細書に説明されたとおりである。
【０００９】
[0014]  さらに別の態様では、本明細書は、モジュール式建物を形成するためのモジュール式フレームユニットを結合する方法に関し、方法は、第２モジュール式フレームに第１モジュール式フレームを結合することを有し、第１モジュール式フレームと第２モジュール式フレームとの間に位置決めピンが挟まれており、位置決めピンは、本明細書に説明されたとおりである。
【００１０】
[0015]  さらに別のさらなる態様では、本明細書は、第１モジュール式フレームに結合された位置決めピンアセンブリを備え、位置決めピンアセンブリは本明細書に説明されたとおりである、吊り上げ可能なモジュール式フレームユニットに関する。
【図面の簡単な説明】
【００１１】
[0016]  以下、一例として、本出願の例示的な実施形態を示す添付図面を参照する。
【００１２】
【図１】本明細書による、位置決めピンアセンブリの実施形態を伴う、２つのモジュールの部分セクションを有するモジュール式フレームアセンブリの実施形態の分解斜視図である。
【図２】溶接ブロックを有する図１のモジュール式フレームアセンブリの実施形態の分解斜視図である。
【図３】本明細書による、位置決めピンアセンブリの実施形態を伴う、４つのモジュールの部分セクションを有するモジュール式フレームアセンブリの実施形態の分解斜視図である。
【図４】溶接ブロックを有する図３のモジュール式フレームアセンブリの実施形態の分解斜視図である。
【図５】本明細書による、位置決めピンアセンブリの実施形態を伴う、６つのモジュールの部分セクションを有するモジュール式フレームアセンブリの実施形態の分解斜視図である。
【図６】溶接ブロックを有する図５のモジュール式フレームアセンブリの実施形態の分解斜視図である。
【図７】本明細書による、位置決めピンアセンブリの実施形態を伴う、８つのモジュールの部分セクションを有するモジュール式フレームアセンブリの実施形態の分解斜視図である。
【図８】溶接ブロックを有する図７のモジュール式フレームアセンブリの実施形態の分解斜視図である。
【図９】本明細書による、位置決めピンアセンブリの別の実施形態を伴う、４つのモジュールの部分セクションを有するモジュール式フレームアセンブリの別の実施形態の分解斜視図である。
【図１０】図９に示すモジュール式フレームアセンブリの側面図である。
【図１１】図９に示すモジュール式フレームアセンブリの平面図である。
【図１２】図９に示すモジュール式フレームアセンブリの第１側の立面図である。
【図１３】図９に示すモジュール式フレームアセンブリの第２側の平面図である。
【図１４】本明細書による、位置決めピンアセンブリの別の実施形態を伴う、２つのモジュールの部分セクションを有するモジュール式フレームアセンブリの別の実施形態の分解斜視図である。
【図１５】図１４に示すようなモジュール式フレームアセンブリの右側立面図である。
【図１６】図１４に示すモジュール式フレームアセンブリの平面図である。
【図１７】図１４に示すようなモジュール式フレームアセンブリの立面背面図である。
【図１８】本明細書による、位置決めピンアセンブリの別の実施形態を伴う、４つのモジュールの部分セクションを有するモジュール式フレームアセンブリの別の実施形態の分解斜視図である。
【図１９】図１８に示すモジュール式フレームアセンブリの側面図である。
【図２０】図１８に示すモジュール式フレームアセンブリの平面図である。
【図２１】図１８に示すモジュール式フレームアセンブリの第１側の立面図である。
【図２２】図１８に示すモジュール式フレームアセンブリの第２側の立面図である。
【図２３】本明細書による、位置決めピンアセンブリの別の実施形態を伴う、２つのモジュールの部分セクションを有するモジュール式フレームアセンブリの別の実施形態の分解斜視図である。
【図２４】図２３に示すモジュール式フレームアセンブリの側面図である。
【図２５】図２３に示すモジュール式フレームアセンブリの平面図である。
【図２６】図２３に示すモジュール式フレームアセンブリの立面側面図である。
【図２７】本明細書による、位置決めピンアセンブリの別の実施形態を伴う、４つのモジュールの部分セクションを有するモジュール式フレームアセンブリの別の実施形態の分解斜視図である。
【図２８】図２７に示すモジュール式フレームアセンブリの側面図である。
【図２９】図２７に示すモジュール式フレームアセンブリの平面図である。
【図３０】図２７に示すモジュール式フレームアセンブリの立面側面図である。
【図３１】図２７に示すモジュール式フレームアセンブリの別の立面側面図である。
【００１３】
同じ部品を示すために、異なる図において同じ参照符号が使用されている場合がある。
【発明を実施するための形態】
【００１４】
[0049]  位置決めピンアセンブリ及びモジュール式ユニットの適用の関連する態様は、ＰＣＴ公開第ＷＯ２０１４／１２７４７２号、同第ＷＯ２０１５／１６４９７５号、同第ＷＯ２０１６／１６５０２２号及び同第ＷＯ２０１７／０２７９６５号、ならびにＰＣＴ出願第ＰＣＴ／ＣＡ２０１８／０５００６５号（全て参照により本明細書に組み込まれる）に説明されており、読者は、さらなる検討のために関連するセクションに向けられる。
【００１５】
[0050]  位置決めピンアセンブリ、位置決めピンアセンブリを使用する吊り上げ可能なピンアセンブリ、位置決めピンアセンブリを有するモジュール式フレームユニットを結合するための方法、位置決めピンアセンブリを有するモジュール式ユニットを組み立てる方法、及び位置決めピンアセンブリを有する建物が、図面を参照しながら説明される。
【００１６】
[0051]  図１〜図８は、位置決めピンアセンブリ２の実施形態に関し、図９〜図３１は、位置決めピンアセンブリ２の別の実施形態に関し、その違いは、ピン３０の平らな四辺形タイプのプレート状セクション３２における（以下に説明されるような）ストッパ３８に関する。図１、図２、及び図１４〜図１７は、２つのモジュール（４，６）を接続するために使用される１つのタイプのガセットプレート２０を有する位置決めピンアセンブリ２の実施形態に関し、ここで、各モジュール（４，６）は一対の垂直のビーム（１０，１６）を有する。図３、図４及び図９〜図１３は、４つのモジュール（４，６）を接続するために使用される１つのタイプのガセットプレート２０を有する位置決めピンアセンブリ２の実施形態に関し、ここで、各モジュール（４，６）は、一対の垂直のビーム（１０，１６）を有する。図５及び図６は、６つのモジュール（４，６）を接続するために使用される１つのタイプのガセットプレート２０を有する位置決めピンアセンブリ２の実施形態に関し、ここで、各モジュール（４，６）は、一対の垂直のビーム（１０，１６）を有する。図７及び図８は、８つのモジュール（４，６）を接続するために使用される１つのタイプのガセットプレート２０を有する位置決めピンアセンブリ２の実施形態に関し、ここで、各モジュール（４，６）は、一対の垂直のビーム（１０，１６）を有する。図１８〜図２２は、４つのモジュール（４，６）を接続するために使用される１つのタイプのガセットプレート２０を有する位置決めピンアセンブリ２の実施形態に関し、ここで、各モジュール（４，６）は単一のビーム（１０又は１６）を有する。図２３〜図２６は、２つのモジュール（４，６）を接続するために使用される１つのタイプのガセットプレート２０を有する位置決めピンアセンブリ２の実施形態に関し、ここで、各モジュ
ール（４，６）は３つの垂直のビーム（１０，１６）を有する。図２７〜図３１は、４つのモジュール（４，６）を接続するために使用される１つのタイプのガセットプレート２０を有する位置決めピンアセンブリ２の実施形態に関し、ここで、各モジュール（４，６）は３つの垂直のビーム（１０，１６）を有する。ピン３０の平らな四辺形タイプのプレート状セクション３２のタイプ及び使用されるガセットプレート２０のタイプに応じて、位置決めピンアセンブリ２の異なる実施形態を形成することができ、位置決めピンアセンブリ２の各実施形態は、結合されるモジュール式フレームユニット６０の異なる実施形態につながる。
【００１７】
[0052]  図１は、第１モジュール式フレーム４を第２モジュール式フレーム６に結合するための位置決めピンアセンブリ２の実施形態を開示している。図面及び明細書では、モジュール式フレームを参照しているが、理解を容易にするために、モジュール式フレームの一部のみが示されている。例えば、図１では、第１モジュール式フレーム４を参照しているが、第２モジュール式フレーム６への結合に使用される第１モジュール式フレーム４の角部分のみが示されている。同様に、第２モジュール式フレーム６が参照されているが、第１モジュール式フレーム４への結合に使用される第２モジュール式フレーム６の角部分のみが示されている。図１に示される実施形態では、上部モジュール式フレームユニットの下部角が、第１モジュール式フレーム４として示され、下部モジュール式フレームユニティの上部角が、第２モジュール式フレーム６として示されている。
【００１８】
[0053]  図１に示される第１モジュール式フレーム４の実施形態は、中空のコラムを有する（本明細書では、第１モジュール式フレームの第１中空管状部材８として示される）。示されている第１モジュール式フレームの第１中空管状部材８は、丸みを帯びたエッジを有する長方形の断面を有するが、設計及び適用の要件に基づいて、第１モジュール式フレームの第１中空管状部材８の他の形状及び構造を使用することができる。第１モジュール式フレームの第１中空管状部材８の第１端部１２は、本明細書に記載されるように、位置決めピンアセンブリ２を受け入れるための開口６２を有する。
【００１９】
[0054]  一対のビーム１０（本明細書では、第１モジュール式フレームの第１ビームとして示される）は、第１モジュール式フレームの第１中空管状部材８の第１端部１２において、第１モジュール式フレームの第１中空管状部材８に結合されている。一対のビーム１０（第１モジュール式フレームの第１ビーム）は、第１モジュール式フレームの第１中空管状部材８に対して及び互いに対して垂直に延びている。言い換えれば、第１モジュール式フレームの第１中空管状部材８がＺ軸にある場合、第１モジュール式フレームの第１ビーム１０の一方はＸ軸に延在し、他方の第１モジュール式フレームの第１ビームはＹ軸に延在する。第１モジュール式フレームの第１ビーム１０を第１モジュール式フレームの第１中空管状部材８に結合する方法は、特に限定されるものではなく、当業者に既知であるべきである。一実施形態では、例えば、限定されないが、第１モジュール式フレームの第１ビーム１０は、第１モジュール式フレームの第１中空管状部材８に溶接される。
【００２０】
[0055]  それぞれの第１モジュール式フレームの第１ビーム１０は、本明細書に記載されているように、第１モジュール式フレーム４をガセットプレート２０に固定するための固定手段２６を受け入れるための開口５４（本明細書では第１モジュール式フレームの第１ビームの第１孔として示される）を有する。
【００２１】
[0056]  第２モジュール式フレーム６は、構造が第１モジュール式フレーム４に類似しているが、下部モジュール式フレームの上端に関連しており、第１モジュール式フレーム４の第２モジュール式フレーム６への結合を支援するための（本明細書に記載されたような）特徴が設けられており、ガセットプレート２０が第１モジュール式フレーム４と第２モジュール式フレーム６との間に挟まれている。
【００２２】
[0057]  第１モジュール式フレーム４と同様に、図１に示される第２モジュール式フレーム６は、中空のコラムを有する（本明細書では、第２モジュール式フレームの第１中空管状部材１０として示される）。示されている第２モジュール式フレームの第１中空管状部材１０は、丸みを帯びたエッジを有する長方形の断面を有するが、設計及び適用の要件に基づき、また第１モジュール式フレーム４を第２モジュール式フレーム６に結合するために使用することができる限り、第２モジュール式フレームの第１中空管状部材１０の他の形状及び構造を使用することができる。第２モジュール式フレームの第１中空管状部材１４の第１端部１８は、本明細書で説明するように、位置決めピンアセンブリ２を受け入れるための開口６４を有する。
【００２３】
[0058]  一対のビーム１６（本明細書では第２モジュール式フレームの第１ビームとして示される）は、第２モジュール式フレームの第１中空管状部材１４の第１端部１８において、第２モジュール式フレームの第１中空管状部材１４に結合されている。一対のビーム１６（第２モジュール式フレームの第１ビーム）は、第２モジュール式フレームの第１中空管状部材１４に対して及び互いに対して垂直に延びている。言い換えれば、第２モジュール式フレームの第１中空管状部材１４がＺ軸にある場合、第２モジュール式フレームの第１ビーム１６の一方はＸ軸に延在し、他方の第２モジュール式フレームの第１ビーム１６は、Ｙ軸に延在する。第２モジュール式フレームの第１ビーム１６を第２モジュール式フレームの第１中空管状部材１４に結合する方法は、特に限定されるものではなく、当業者に既知であるべきである。一実施形態では、例えば、限定されないが、第２モジュール式フレームの第１ビーム１６は、第２モジュール式フレームの第１中空管状部材１４に溶接される。
【００２４】
[0059]  それぞれの第２モジュール式フレームの第１ビーム１６は、一対の開口を有する。ガセットプレート２０を第２モジュール式フレーム６に固定するために第２固定手段２８を受け入れるための第１開口５６（本明細書では第２モジュール式フレームの第１ビームの第１孔として示される）である。一方、固定手段２６を受け入れるための第２開口６６（本明細書では第２モジュール式フレームの第１ビームの第２孔として示される）は、第１モジュール式フレーム４をガセットプレート２０及び第２モジュール式フレーム６に結合する。したがって、第２モジュール式フレームの第１ビームの第２孔６６は、第１モジュール式フレームの第１ビームの第１孔５４と整列し、第１モジュール式フレーム４を第２モジュール式フレーム６に結合するために固定手段２６を受け入れるようにサイズ決めされている。一実施形態では、図に開示されるように、第２モジュール式フレームの第１ビーム１６上に形成された第１開口５６は、第２モジュール式フレームの第１中空管状部材１４からより遠くにあるのに対し、第２開口６６は、第２モジュール式フレームの第１中空管状部材１４により近い。
【００２５】
[0060]  第１モジュール式フレーム４を第２モジュール式フレーム６に結合するために、位置決めピンアセンブリ２が使用される。位置決めピンアセンブリ２は、ガセットプレート２０（本明細書では第１ガセットプレートとも呼ばれる）及びピン３０を有する。
【００２６】
[0061]  本明細書に開示されるガセットプレート２０は、第１モジュール式フレーム４と第２モジュール式フレーム６との間に配置された平らなプレートであり、ピン３０を収容し、第１モジュール式フレーム４の第２モジュール式フレーム６への結合に役立つための特徴が設けられている。
【００２７】
[0062]  図１に示される実施形態では、ガセットプレート２０の１つの面が、第２モジュール式フレームの第１ビーム１６のそれぞれの上に位置し、接触する。したがって、図１に示される実施形態で使用されるガセットプレート２０は、２つの垂直な第２モジュール式フレームの第１ビーム１６上に配置されるようにサイズ決めされている。さらに、一実施形態では、例えば、限定されないが、ガセットプレート２０は、ガセットプレート２０が置かれる第２モジュール式フレーム第１ビーム１６の全幅に接触するようにサイズ決めされている。
【００２８】
[0063]  ガセットプレート２０は、第１ガセットプレート孔２２及び第２ガセットプレート孔２４が設けられている。第１ガセットプレート孔２２及び第２ガセットプレート孔２４は、それらが第２モジュール式フレームの第１ビーム第２孔６６及び第２モジュール式フレームの第１ビームの第１孔５６のそれぞれと整列するようにガセットプレート２０に形成されている。言い換えれば、第１ガセットプレート孔２２は、第２モジュール式フレームの第１ビームの第２孔６６と整列し、第２ガセットプレート孔２４は、第２モジュール式フレームの第１ビームの第１孔５６と整列する。
【００２９】
[0064]  さらに、第１ガセットプレート孔２２は、第１モジュール式フレームの第１ビームの第１孔５４とも整列するように形成されている。したがって、固定手段２６が第１モジュール式フレーム４を第２モジュール式フレーム６に結合するために使用される場合、固定手段２６は、第１モジュール式フレームの第１ビームの第１孔５４、第１ガセットプレート孔２２、及び第２モジュール式フレームの第１ビームの第２孔６６と係合し、これにより、第１モジュール式フレーム４を第２モジュール式フレーム６に固設しかつ結合する。
【００３０】
[0065]  さらに、第２固定手段２８がガセットプレート２０を第２モジュール式フレーム６に結合するために使用される場合、第２固定手段２８は、ガセットプレート２０を第２モジュール式フレーム６と結合するために、第２ガセットプレート孔２４及び第２モジュール式フレームの第１ビームの第１孔５６と係合する。ガセットプレート２０に第２ガセットプレート孔２４を設けることにより、第１モジュール式フレーム４を第２モジュール式フレーム６に結合する前に、ガセットプレート２０を第２モジュール式フレーム６に整列させ、配置し、かつ結合することができ、モジュール構造の製造を補助する。
【００３１】
[0066]  ガセットプレート２０の厚さは、特に制限されておらず、設計及び適用の要件に応じて変えることができる。特定の実施形態では、ガセットプレート２０は、ピン３０に提供された（本明細書に記載されているような）ストッパ３８の厚さと等しい厚さを有し、これにより、ガセットプレート２０及びストッパ３８は、第１モジュール式フレーム４と第２モジュール式フレーム６との間に均一な面の表面を提供する。
【００３２】
[0067]  ガセットプレート２０には、第２モジュール式フレームの第１中空管状部材１４にピン３０を受け入れかつ配置するための切欠き４２も設けられている。図１に示す実施形態では、ガセットプレート２０は、ピン３０を受け入れるためのＶ字型の切欠き４２を有する。特定の実施形態では、例えば、限定されないが、ガセットプレート２０の切欠き４２は、ガセットプレート２０のエッジ６８が第２モジュール式フレームの第１ビーム１６のエッジ７０と整列するようにサイズ決めされている。切欠き４２をそのようにサイズ決めすることにより、切欠き４２を規定するガセットプレート２０のエッジ６８は、第２モジュール式フレームの第１中空管状部材１４の第１端部１８においてエッジ４６に着座又は接触することを回避する。これは、第２モジュール式フレームの第１中空管状部材１４の第１端部１８の開口６４におけるピン３０の挿入及び配置を補助することができ、また、第２モジュール式フレームの第１中空管状部材１４におけるピン３０の適切な配置を保証するために第２モジュール式フレームの第１中空管状部材１４の第１端部１８におけるエッジ４６にストッパ３８が配置されるための空間を提供することも補助することができる。
【００３３】
[0068]  ピンアセンブリ２のピン３０は、第１ガセットプレート２０、第１モジュール式フレーム４、及び第２モジュール式フレーム６と係合する。本明細書に開示される実施形態では、ピン３０は、概して平坦で細長く、平らな四辺形タイプのプレート状セクション３２及び平坦な逆円錐形セクション３４を有する。換言すれば、平らな円錐形のセクションは、逆Ｖ字形の平らなセクションに類似しており、Ｖ字形のセクションの頂点は、平らな四辺形タイプのプレート状セクション３２から遠い方にある。平らな逆円錐形（又はＶ字形）セクション３４は、平らな四辺形タイプのプレート状セクション３２の第１端部５８において平らな四辺形タイプのプレート状セクション３２に結合されており、平らな逆円錐形セクション３４の頂点７２は、平らな四辺形タイプのプレート状セクション３２の第１端部５８から遠い方に配置されている。平らな逆円錐形（又は平らな逆Ｖ字形）セクション３４の頂点７２は、形状が特に限定されず、一実施形態では、丸みを帯びることができる頂点への側縁の先細りによって形成される。
【００３４】
[0069]  平らな四辺形タイプのプレート状セクション３２の形状及びサイズは、特に限定されず、設計及び適用の要件に応じて変えることができる。一実施形態では、例えば、限定されないが、平らな四辺形タイプのプレート状セクション３２は、概して長方形の立方体として形作られ、平らな逆円錐形（又はＶ字形）セクション３４は、平らな四辺形タイプのプレート状セクション３２の第１端部５８から延びている。ピン３０を第２モジュール式フレームの第１中空管状部材１４と結合するとき、平らな四辺形タイプのプレート状セクション３２は、（図に示すように）第２モジュール式フレームの第１中空管状部材１４の１つの内面にのみ接触し、平らな四辺形タイプのプレート状セクション３２が挿入される第２モジュール式フレームの第１中空管状部材１４の反対側の内面からは離間されている。さらなる実施形態では、図１２及び図１３に示されるように、平らな四辺形タイプのプレート状セクション３２の幅は、第２モジュール式フレームの第１中空管状部材１４の内面の幅とほぼ同じであり、これにより、平らな四辺形タイプのプレート状セクション３２は、第２モジュール式フレームの第１中空管状部材１４の３つの内面に接触する。
【００３５】
[0070]  一実施形態では、本明細書に開示されるように、ピン３０を第２モジュール式フレームの第１中空管状部材１４に結合及び固設するために、ピン３０の平らな四辺形タイプのプレート状セクション３２は、第１ピン３０を第２モジュール式フレームの第１中空管状部材１４に結合するために、それぞれ第３固定手段７４及び第４固定手段７６を受け入れるように適合及びサイズ決めされた第１オリフィス４８及び第２オリフィス５０が設けられている。結合を達成するために、第２モジュール式フレームの第１中空管状部材１４には、第１開口７８（本明細書では、第２モジュール式フレームの第１中空管状部材の第１開口として示される）と、第２開口８０（本明細書では、第２モジュール式フレームの第１中空管状部材の第２開口として示される）とが設けられている。特定の実施形態では、例えば、限定されないが、図１に示されるように、第１オリフィス４８は、ピン３０の平らな四辺形タイプのプレート状セクション３２のストッパ３８と第２端部８２との間に形成されており、また、ピン３０の平らな四辺形タイプのプレート状セクション３２のストッパ３８又は第１端部５８に近接している。他方、第２オリフィス５０は、ピン３０の平らな四辺形タイプのプレート状セクション３２の第２端部８２の近くに形成されている。
【００３６】
[0071]  ピン３０の平らな四辺形タイプのプレート状セクション３２が、第２モジュール式フレームの第１中空管状部材１４の第１端部１８において開口６４に挿入されると、ストッパ３８は、平らな四辺形タイプのプレート状セクション３２を配置するのに役立ち、これにより、第１オリフィス４８が第２モジュール式フレームの第１中空管状部材の第１開口７８と整列し、第２オリフィス５０が第２モジュール式フレームの第１中空管状部材の第２開口８０と整列する。次に、第３固定手段７４を第２モジュール式フレームの第１中空管状部材の第１開口７８に挿入することができ、第４固定手段７６を第２モジュール式フレームの第１中空管状部材の第２開口８０に挿入することができ、これにより、ピン３０を第２モジュール式フレームの第１中空管状部材１４における所定の位置に結合及び固設する。
【００３７】
[0072]  上記のように、ピン３０は、ピン３０の平らな四辺形タイプのプレート状セクション３２においてストッパ３８が設けられており、ストッパ３８は、平らな四辺形タイプのプレート状セクション３２の第１端部５８の近くに配置されている。ストッパ３８の形状及びサイズは、特に制限されず、ストッパが、第２モジュール式フレームの第１中空管状部材１４におけるピン３０の配置又は第２モジュール式フレームの第１中空管状部材１４における第１及び第２孔（７８，８０）とのオリフィス（４８，５０）の整列に役立つことができる限り、設計及び適用の要件に応じて変化することができる。
【００３８】
[0073]  一実施形態では、例えば、限定されないが、図１〜図８に示されるように、ストッパ３８は、ピン３０の平らな四辺形タイプのプレート状セクション３２の側面から横方向外向きに延びる一対の突起５２によって形成されている。ピン３０が、第２モジュール式フレームの第１中空管状部材１４の第１端部１８において開口６４に配置されると、一対の突起５２は、第２モジュール式フレームの第１中空管状部材１４の第１端部１８において、対向する縁部４６に接触及び着座する。これは、第２モジュール式フレームの第１中空管状部材１４におけるピン３０の適切な配置に役立つことができ、第２モジュール式フレームの第１中空管状部材１４へのピン３０の結合のためのオリフィス（４８，５０）の整列にも役立つことができる。
【００３９】
[0074]  特定の実施形態では、ストッパ３８は、ガセットプレート２０の厚さに等しい厚さを有し、これにより、ピン３０及びガセットプレート２０が第２モジュール式フレーム６上の所定の位置に配置されると、ガセットプレート２０及びストッパ３８は１つの平面上に位置する。これは、モジュール式フレーム（４，６）の適切な整列に役立つことができ、モジュール式アセンブリの傾斜を回避することに役立つことができる。
【００４０】
[0075]  上記のように、ピン３０には、第１モジュール式フレームの第１中空管状部材８の第１端部１２において開口６２に挿入される平らな逆円錐形セクション３４も設けられている。平らな四辺形タイプのプレート状セクション３２の第１端部５８を超えて延在しかつ第１モジュール式フレームの第１中空管状部材８の第１端部１２において開口６２に挿入される先細のセクションを提供することは絶対に必要というわけではないが、平らな逆円錐形セクション３４を形成するためのセクションの先細りは、第２モジュール式フレーム６への第１モジュール式フレーム４の整列、挿入、及び結合を容易にするのに役立つことができる。
【００４１】
[0076]  一実施形態では、本明細書に開示されるように、平らな逆円錐形セクション３４には、吊り上げ孔３６が設けられている。吊り上げ孔３６は、平らな逆円錐形セクション３４の頂点７２の近くに形成されている。ピン３０が第２モジュール式フレーム６に結合されるとき、ピン３０の平らな逆円錐形セクション３４における吊り上げ孔３６は、第２モジュール式フレーム６を吊り上げ、第１モジュール式フレーム４が第２モジュール式フレーム６上に配置される前に第２モジュール式フレーム６をモジュール式アセンブリの適切な構築場所に配置するために使用することができる。
【００４２】
[0077]  上記に加えて、図示されていないが、第１モジュール式フレームの第１中空管状部材８の第１端部１２の近くに孔を形成することによって、ピン３０の平らな逆円錐形セクション３４を第１モジュール式フレームの第１中空管状部材８に固設するために吊り上げ孔３６を使用することができ、孔は、ピン３０の平らな逆円錐形セクション３４が第１モジュール式フレームの第１中空管状部材８の第１端部１２において開口６２に挿入されたとき吊り上げ孔３６と整列する。
【００４３】
[0078]  位置決めピンアセンブリ２及びモジュール式フレーム（４、６）の異なる部分を互いに結合及び固定するために使用される固定手段（２６，２８，７４，７６）は、特に限定されず、設計及び用途の要件に応じて変えることができる。一実施形態では、例えば、限定されないが、第２、第３、及び第４固定手段は平頭ねじである。別の実施形態では、例えば、限定されないが、第１固定手段は、ねじ付きボルト８４及び圧縮スリーブ８６を使用して形成される。第１モジュール式フレームの第１ビーム１０における圧縮スリーブ８６の使用は、第１モジュール式フレームの第１ビーム１０の圧縮を回避することに役立つことができ、第２モジュール式フレーム６への第１モジュール式フレーム４の適切な結合を補助することができる。
【００４４】
[0079]  図２は、図１と同様の位置決めピンアセンブリ２の実施形態に関する。しかしながら、図２に示される実施形態には溶接ブロック８８が設けられており、溶接ブロック８８は、構造的完全性及び第２フレーム６への第１フレーム４の結合を高めるのに役立つことができ、また第２モジュール式フレームの第１ビーム１６の圧縮を回避するのに役立つこともできる。溶接ブロック８８には、溶接ブロック第１孔９０及び溶接ブロック第２孔９２が設けられている。溶接ブロック第１孔９０は、第２固定手段２８を受け入れ、これにより、ガセットプレート２０を第２モジュール式フレーム６に固設するために、第２モジュール式フレームの第１ビームの第１孔５６と整列することができる。他方、溶接ブロック第２孔９２は、第１固定手段２６を受け入れ、これにより、第１モジュール式フレーム４を第２モジュール式フレーム６に固設するために、第２モジュール式フレームの第１ビーム−第２孔６６と整列することができる。
【００４５】
[0080]  一実施形態では、本明細書に示されるように、モジュール式フレーム（４，６）におけるコラム（８，１４）及びビーム（１０，１６）は、中空構造セクション（ＨＳＳ）から形成されている。本明細書に開示される溶接ブロック８８は、ＨＳＳに構造的支持を提供するのに役立つことができ、及び／又は第１モジュール式フレーム４を第２モジュール式フレーム６に結合するときに第２モジュール式フレームの第１ビーム１６の圧縮を回避するのに役立つことができる。代替的な実施形態では、非ＨＳＳ構造を使用することができる。しかしながら、そのような構造部材は、コストの考慮のために好ましくない場合がある。
【００４６】
[0081]  図３及び図４は、位置決めピンアセンブリ２及びモジュール式アセンブリの別の実施形態に関し、第１モジュール式フレーム４の対が、互いに隣接する第２モジュール式フレーム６の対に結合されている。そのような実施形態では、モジュール式アセンブリを形成するために一対のピン３０が使用される。一方のピン３０は、１つの第１モジュール式フレーム４を１つの第２モジュール式フレーム６に結合するのに対し、別のピン３０は、別の第１モジュール式フレーム４を別の第２モジュール式フレーム６に結合する。
【００４７】
[0082]  図３及び図４の実施形態において開示されるガセットプレート２０は、半八角形の形状を有する。ガセットプレート２０は、図１に示される実施形態と同様に、２つの第１モジュール式フレーム４及び２つの第２モジュール式フレーム６のビーム（１０，１６）のそれぞれの上に着座し、接触する。
【００４８】
[0083]  ガセットプレート２０には、図１に示される第１及び第２ガセットプレート孔（２２，２４）と同様に機能する複数の第１及び第２ガセットプレート孔（２２，２４）も設けられている。したがって、第１ガセットプレート孔２２のそれぞれは、第１モジュール式フレーム第１ビーム１０のそれぞれをガセットプレート２０及びその対応する整列する第２モジュール式フレームの第１ビーム１６に結合するために、第１固定手段を受け入れるように適合されている。
【００４９】
[0084]  さらに、ガセットプレート２０には、第１モジュール式フレーム４を第２モジュール式フレーム６に結合するためのピン３０の対を受け入れるようにサイズ決めされた切欠き４２も設けられている。さらに、切欠き４２は、切欠き４２のエッジ６８が第２モジュール式フレーム第１ビーム１６のエッジ７０と整列するようにサイズ決めされており、これにより、第２モジュール式フレームの第１中空管状部材１４におけるピン３０の配置を提供する。
【００５０】
[0085]  図４に示される実施形態は、図３の実施形態に関し、モジュール式アセンブリには、図２に示される溶接ブロック８８に類似した溶接ブロック８８が設けられている。
【００５１】
[0086]  図５及び図６は、位置決めピンアセンブリ２及びモジュール式アセンブリの別の実施形態に関し、第１モジュール式フレーム４の３つのセットが、互いに隣接する対応する第２モジュール式フレーム６の３つのセットに結合されている。そのような実施形態では、モジュール式アセンブリを形成するために３つのピン３０が使用されており、各セットにおける第１モジュール式フレーム４の１つを、第１モジュール式フレーム４の下方に配置された第２モジュールフレーム６の１つに結合するために、１つのピン３０が使用されている。
【００５２】
[0087]  図５及び図６に開示されるガセットプレート２０は、八角形の４分の３の形状であり、第１及び第２モジュール式フレーム（４、６）の第１セットを第１及び第２モジュール式フレーム（４，６）の第２及び第３セットに固設するのに役立つ。このようにして、第１及び第２モジュール式フレーム（４，６）の全てのセットが、モジュール式アセンブリを形成するために互いに固設される。
【００５３】
[0088]  図６に示される実施形態は、図５の実施形態に関し、モジュール式アセンブリには、図２に示される溶接ブロック８８に類似した溶接ブロック８８が設けられている。
【００５４】
[0089]  図７及び図８は、４つの隣接する第１及び第２モジュール式フレームユニット（４，６）が配置され、互いに結合されているモジュール式アセンブリの別の実施形態に関する。図１に示される実施形態と同様に、４つのピン３０が使用され、各ピン３０は、第１モジュール式フレーム４を第２モジュール式フレーム６に結合する。
【００５５】
[0090]  図７及び図８に示されるガセットプレート２０は八角形の形状であり、切欠き４２は、ピン３０を受け入れるためのガセットプレート２０における正方形の穴として形成されている。前の実施形態のように、ガセットプレート２０は、第１及び第２モジュール式フレーム（４，６）の第１セットを、第１及び第２モジュール式フレーム（４，６）の第２、第３及び第４セットに固設するのに役立つ。このようにして、第１及び第２モジュール式フレーム（４，６）の全てのセットが、モジュール式アセンブリを形成するために互いに固設される。
【００５６】
[0091]  図９〜図３１は、図１〜図８に示される実施形態において使用されるピン３０と比較して、ピン３０の異なる実施形態が使用されるモジュール式アセンブリ６０の実施形態に関する。
【００５７】
[0092]  図９〜図３１に示される実施形態では、ピン３０は、平面ストッパプレート４０として形成されたストッパ３８を有する。図１〜図８に示す実施形態においてストッパ３８を形成する突起５２と同様に、平面ストッパプレート４０は、平らな四辺形タイプのプレート状セクション３２の第１端部５８の近くにおいて、平らな四辺形タイプのプレート状セクション３２に配置されている。したがって、図９〜図３１に示される実施形態における平面ストッパプレート４０の位置は、図１〜図８に示される実施形態に示される突起５２と同様である。
【００５８】
[0093]  図９〜図３１の実施形態に示される平面ストッパプレート４０は平面であり、平らな四辺形タイプのプレート状セクション３２から垂直に延びている。平面ストッパプレート４０の厚さは、ガセットプレート２０と同様又は同じであることができる。さらに、平面ストッパプレート４０が、第２モジュール式フレームの第１中空管状部材１４の第１端部１８における開口６４におけるピン３０の整列及び配置を補助することができる限り、平面ストッパプレート４０は、平面ストッパプレート４０の１つ又は複数のエッジ４４が第２モジュール式フレームの第１中空管状部材１４の第１端部１８における１つ又は複数のエッジ４６と整列するようにサイズ決めすることができる。特定の実施形態では、例えば、限定されないが、平面ストッパプレート４０は、正方形であり、平面ストッパプレート４０の４つのエッジ４４全てが、正方形の断面を有する、第２モジュール式
フレームの第１中空管状部材１４の第１端部１８における全ての４つのエッジ４６と整列及び接触する。そのような実施形態は、第２モジュール式フレームの第１中空管状部材１４の第１端部１８における開口６４内のピン３０の配置及び整列を容易にすることに役立つことができる。さらに、そのような実施形態が所定の位置に配置されると、ガセットプレート３０及び平面ストッパプレート４０は、第１モジュール式フレーム４と第２モジュール式フレーム６との間にほぼ連続した平面を提供することができ、これは、モジュール式アセンブリ６０に増大した構造的安定性を提供することに役立つことができる。
【００５９】
[0094]  図９〜図１３は、図３に示される実施形態と同様のモジュール式アセンブリ６０の実施形態に関し、同様のガセットプレート２０を利用する。しかしながら、図９〜図１３では、使用されるピン３０は、ストッパ３８として突起５２ではなく平面のストッパプレート４０を有する。図９は、そのようなモジュール式アセンブリ６０の分解斜視図を示しているのに対し、図１０は、組み立てられたモジュール式アセンブリ６０を示しており、位置決めピンアセンブリ２はシェードを使用して示されている。図１０に見られるように、平らな四辺形タイプのプレート状セクション３２は、第１及び第２孔（７８，８０）を有する、第２モジュール式フレームの第１中空管状部材１４の表面の近くに配置されている。したがって、２つの隣接するモジュール式アセンブリ６０（それぞれが第１及び第２モジュール式フレーム４，６を有する）が結合されるとき、各モジュール式アセンブリ６０におけるピン３０は互いに隣接し、一方のモジュール式アセンブリ６０における平らな四辺形タイプのプレート状セクション３２は、別の隣接するモジュール式アセンブリ６０における平らな四辺形タイプのプレート状セクション３２に面する。
【００６０】
[0095]  図１１は、図９に示される実施形態の平面断面図を示しており、ビーム（１０，１６）及びコラム（８，１４）の整列と共に、ガセットプレート２０がビーム（１０，１６）の間に配置されていることを示している。さらに、図１１は、平面ストッパプレート４０がコラム（８，１４）の間に配置され、各ピン３０が互いに隣接していることを示している。
【００６１】
[0096]  図１２及び図１３は、２つのモジュール式アセンブリ６０の立面図を示しており、モジュール式アセンブリ６０におけるピン３０の配置を示している。
【００６２】
[0097]  図１４〜図１７は、図１に示される実施形態と同様のモジュール式アセンブリ６０の実施形態に関し、同様のガセットプレート２０を利用する。しかしながら、図１４〜図１７では、使用されるピン３０は、図９〜図１３に開示されたピン３０と同様であり、読者は、さらなる理解のために、明細書における関連するセクションを参照する。ピン３０及びガセットプレート２０の他の特徴、ならびに第１及び第２モジュール式フレーム（４，６）への結合は、図１に開示された実施形態と同様であり、読者は、さらなる理解のために明細書における関連セクションを参照する。
【００６３】
[0098]  図１８〜図２２は、モジュール式フレームアセンブリ６０のさらに別の実施形態に関する。図１８〜図２２に示される実施形態と図１４〜１７に示される実施形態との違いは、図１８〜図２２では、モジュール式フレーム（４，６）は、図１４〜図１７に示すように第２モジュール式フレームの第１ビーム１６の対ではなく、１つの第２モジュール式フレームの第１ビーム１６のみを有することである。また、図１８〜図２２に示される実施形態のガセットプレート２０は、長方形プレートによって形成されており、長方形プレートの１つのエッジが、図１４〜図１７に示すガセットプレート２０における切欠き４２と同様に機能する。さらに、図１８〜図２２に示されるガセットプレート２０は、第２モジュール式フレームの第１ビーム１６の幅と同様の幅を有する。
【００６４】
[0099]  図１９は、モジュール式フレーム（４，６）を、図１８に示される位置決めピンアセンブリ２と組み立てたときに形成されるモジュール式アセンブリ６０を示している。図２０は、図１９に示されるモジュール式アセンブリ６０の平面図、及びビーム（１０，１６）上のガセットプレート２０の配置を示す。
【００６５】
[00100]  図２３〜図２６は、モジュール式フレームアセンブリ６０のさらに別のさらなる実施形態に関する。図２３〜図２６に示される実施形態と図１４〜図１７に示される実施形態との違いは、図２３〜図２６では、モジュール式フレーム（４，６）は、図１４〜図１７に示すように第２モジュール式フレームの第１ビーム１６の対ではなく、３つの第２モジュール式フレームの第１ビーム１６を有することである。第２モジュール式フレームの第１ビーム１６のうちの２つは反対方向に延在し、同軸上にあるのに対し、第２モジュール式フレームの第１ビーム１６のうちの１つは、他の２つの第２モジュール式フレームの第１ビーム１６に対して垂直である。
【００６６】
[00101]  図２３〜図２６に開示された実施形態において使用されたガセットプレート２０は、図３に開示された実施形態において使用されたガセットプレート２０と同様である。しかしながら、図２３〜図２６の実施形態に開示されたガセットプレート２０における切欠き４２は、１つのピン３０の１つの平面ストッパプレート４０を可能にするようにサイズ決めされている。さらに、ガセットプレート２０は、３つの第２モジュール式フレームの第１ビーム１６のそれぞれに接触及び着座し、３つの第１モジュール式フレームの第１ビーム１０のそれぞれを、モジュール式アセンブリ６０を形成するために、対応しかつ整列する３つの第２モジュール式フレームの第１ビーム１６に結合するために使用される。
【００６７】
[00102]  図２４は、図２３に示されるモジュール式アセンブリ６０の実施形態の組み立てられた側面立面図を開示している。図２５は、モジュール式アセンブリ６０の平面図と、ガセットプレート２０がビーム（１０，１６）上にどのように配置されるかを示している。図２６は、組み立てられたモジュール式アセンブリ６０の正面図を示す。さらに、図２６に示されるように、（図２を参照して説明されたような）溶接ブロック８８を、モジュール式アセンブリ６０を形成するために第２モジュール式フレームの第１ビーム１６において使用することもできる。
【００６８】
[00103]  図２７〜図３１は、モジュール式フレームアセンブリ６０の別のさらなる実施形態を示す。図２７〜図３１に示される実施形態では、２つの隣接するモジュール式アセンブリ６０は、図２３〜図２６に示されるように、結合され、より大きなモジュール式アセンブリ６０を形成する。図２７〜図３１に示される実施形態では、使用されるガセットプレート２０は、図７に開示されるガセットプレート２０と同様であり、読者は、さらに理解するために、明細書の関連するセクションに向けられる。ガセットプレート２０は八角形の形状であり、６つの第２モジュール式フレームの第１ビーム１６のそれぞれに接触し、着座し、結合され、これは、モジュール式アセンブリ６０を一緒に固設するのに役立つことができる。ガセットプレート２０の切欠き４２は、２つのピン３０と、２つのピン３０の平面ストッパプレート４０とを受け入れるために（図７におけるように正方形であるのとは対照的に）長方形であり、図２７に示される構造は、図２８に示されるモジュール式アセンブリ６０を形成するために組み立てられる。
【００６９】
[00104]  図２９は、ビーム（１０，１６）、コラム（８，１４）、ガセットプレート２０及びピン３０の整列とともに、図２８のモジュール式アセンブリの平面図を示している。図３０及び図３１は、組立て時の、図２７に示されるような２つのモジュール式アセンブリ６０（それぞれが第１及び第２モジュール式フレーム４，６を有する）の側面立面図を示す。図２７、図２８、図３０、及び図３１に示されるように、図２に開示されるような溶接ブロック８８を、モジュール式アセンブリ６０の構造的一体性を改善するために使用することができる。
【００７０】
[00105]  記載された実施形態の特定の適応及び変更を行うことができる。したがって、上述した実施形態は例示的なものであり、限定的ではないと考えられる。
【表１】
2021524550.tif 000003
【図１】
2021524550.tif 000004
【図２】
2021524550.tif 000005
【図３】
2021524550.tif 000006
【図４】
2021524550.tif 000007
【図５】
2021524550.tif 000008
【図６】
2021524550.tif 000009
【図７】
2021524550.tif 000010
【図８】
2021524550.tif 000011
【図９】
2021524550.tif 000012
【図１０】
2021524550.tif 000013
【図１１】
2021524550.tif 000014
【図１２】
2021524550.tif 000015
【図１３】
2021524550.tif 000016
【図１４】
2021524550.tif 000017
【図１５】
2021524550.tif 000018
【図１６】
2021524550.tif 000019
【図１７】
2021524550.tif 000020
【図１８】
2021524550.tif 000021
【図１９】
2021524550.tif 000022
【図２０】
2021524550.tif 000023
【図２１】
2021524550.tif 000024
【図２２】
2021524550.tif 000025
【図２３】
2021524550.tif 000026
【図２４】
2021524550.tif 000027
【図２５】
2021524550.tif 000028
【図２６】
2021524550.tif 000029
【図２７】
2021524550.tif 000030
【図２８】
2021524550.tif 000031
【図２９】
2021524550.tif 000032
【図３０】
2021524550.tif 000033
【図３１】
2021524550.tif 000034
【国際調査報告】
2021524550.tif 000035
2021524550.tif 000036